(57)【要約】    【課題】  吐水切換構造の操作部の操作性を軽くするとともに、切換操作において吐水形態によって操作部の操作感が異ならないようにして、操作部の操作性を向上させること。    【解決手段】  操作部の操作により２以上の吐水形態による吐水が可能なシャワーヘッドの吐水形態切換構造であって、吐水形態の数に応じた数の、弁体２７及び弁口５３が備えられ、弁体２７は、弁口５３に圧着されて弁口５３を閉止する球面状部２９と、球面状部２９に連設されるとともにシャワーヘッド１の本体１５側に保持される円筒状部３１とを備え、球面状部２９が弁口５３に対してほぼ垂直方向に往復移動されて弁口５３を開閉するように設けた。    【選択図】    図３
2005131143.tif 000002
【特許請求の範囲】
【請求項１】
操作部の操作により２以上の吐水形態による吐水が可能なシャワーヘッドの吐水形態切換構造であって、
前記吐水形態の数に応じた数の、弁体及び弁口が備えられ、
前記弁体は、
前記弁口に圧着されて前記弁口を閉止する傾斜外周部と、該傾斜外周部に連設されるとともにシャワーヘッド本体側に保持される被保持部とを備え、
前記傾斜外周部が前記弁口に対してほぼ垂直方向に往復移動されて前記弁口を開閉するように設けられたことを特徴とするシャワーヘッドの吐水切換構造。
【請求項２】
前記弁体は、前記傾斜外周部が球面状部であり、前記被保持部が円筒状部である略砲弾形状に形成されたことを特徴とする請求項１に記載のシャワーヘッドの吐水切換構造。
【請求項３】
前記弁体が樹脂製であることを特徴とする請求項１又は２に記載のシャワーヘッドの吐水切換構造。
【発明の詳細な説明】
【技術分野】
【０００１】
本発明は、２種以上の吐水形態を切り換えるためのシャワーヘッドの吐水切換構造に関する。
【背景技術】
【０００２】
従来のシャワーヘッドには、通常のシャワー吐水の他に、やや大粒の水滴のマッサージシャワーや、逆に細かい水滴のソフトシャワーなど、種々の形態のシャワーを吐出することのできるシャワーヘッドが知られている。このようなシャワーヘッドでは、その内部に、これらの吐水形態を切り換えるための吐水切換構造を内蔵している。このような従来の吐水切換構造について、図９、図１０及び図１１を参照して説明する。
【０００３】
図９に示すように、この吐水切換構造８０を用いたシャワーヘッド８２は、集中吐水、ストレート散水、拡散されたシャワー散水の３つの形態の吐水をそれぞれ行うものであり、シャワーヘッド８２の先端には、上記した３種類の吐水形態を切り換えるための３個の操作部Ａ，Ｂ，Ｃが設けられている。また、図１１に示すように、シャワーヘッド８２内部には、それぞれの吐水形態毎に設けられた弁口８４ａ，８４ｂ，８４ｃが設けられ、また、各弁口８４ａ，８４ｂ，８４ｃを開閉する２つの弁装置８６が設けられている。弁装置８６は、流入路８８内にピン９０を介して揺動自在に軸着されたアーム９２と、このアーム９２の先端に設けられ、スプリング９４により弁座９６方向に付勢された弁体９８を収容する弁ケース１００とを備えている。また、支持アーム１０２は、操作部Ａ，Ｃの押動操作により、ピン９０を支点としてシャワーヘッド８２内方に揺動されるように構成されている。また、係合アーム１０４が、操作部Ｂの押動操作により、突起１０６，１０８を介して、ピン９０を支点として弁座９６方向に揺動されるように構成されている。
【０００４】
そして、操作部Ｂを押し込むと、係合アーム１０４が長孔１１０内の突出部１１２基端部側の内壁面に押圧されて揺動し、これに伴いピン９０を支点として弁装置８６が揺動され、操作部Ａ側の弁装置８６により弁口８４ａが閉塞され、操作部Ｃ側の弁装置８６により弁口８４ｃが閉塞されると共に、弁口８４ｂが開放される。また、これにより、ピン１１４により連結された操作部Ａ，Ｃが突出方向に移動する。また、操作部Ｃを押し込むと、挿通部１１６に取り付けられた操作部Ｃ側の弁装置８６が揺動されて、弁口８４ｃが開放されると共に弁口８４ｂが閉塞される。この時、操作部Ｃ側の弁装置８６の係合アーム１０４により操作部Ｂの突出部１１２が押されて、操作部Ｂはシャワーヘッド８２先端方向に移動する。また、操作部Ｃを押し込んだ状態から、操作部Ａを押し込むと、操作部Ａ側の弁装置８６がその挿通部１１６を介して揺動されて、弁口８４ａが開放されると共に弁口８４ｂが閉塞される。この時、操作部Ａ側の弁装置８６の弁ケース１００により、操作部Ｃ側の弁装置８６の弁ケース１００が押されて、操作部Ｃ側の弁装置８６は弁口８４ｃを閉塞する方向に揺動する。これにより、操作部Ｃは、挿通部１１６を介して突出方向に移動する。このようにして、各操作部の押動操作により、弁口８４ａ、弁口８４ｂ、弁口８４ｃのいずれかが開放されて、それぞれの吐水形態が選択される。
【０００５】
また、図１０に示すように、弁ケース１００内に収容された弁体９８は、各弁口８４を確実に閉止できるようにするためにスプリング９４により弁口８４方向に付勢された状態で移動される。そこで、弁座９６上を円滑に移動可能とするために、弁体９８は球状に形成されて、弁体９８が適度に転がることによって弁座９６上を円滑に移動されるように設けられている。また、弁体９８が球状に形成され、よって弁体９８は移動に伴って転がるため、弁体９８の一定の部位が常に弁口８４を閉止するシール部となるわけではない。そこで、弁体９８がどの部位で弁口８４を閉止することになっても弁口８４を確実にシールできるようにするため全外周面に渡ってバリ等を研磨により除去できるようにする必要があった。また、弁体９８にスプリング９４が取り付けられているが、上記したように弁体９８は転がるように設けられているため、弁体９８のスプリング９４と接する部位は一定ではない。よって、弁体９８の全外周面に渡ってスプリング９４による傷が付くおそれがある。そこで、全外周面のバリ等を除去しやすく、また、全外周面に容易には傷が付かないようにするために、弁体９８としてＳＵＳなど金属製のボール弁を用いている（例えば、特許文献１参照。）。
【０００６】
【特許文献１】特開２００２−２１１３２号公報（図１、図４、図６、図７）
【発明の開示】
【発明が解決しようとする課題】
【０００７】
しかしながら上記した従来の吐水切換構造８０では、以下のような問題が生じていた。この吐水切換構造８０では、それぞれの吐水形態に対応する吐水口や散水孔の総面積が吐水形態毎に異なり、吐水形態によって吐水流量が異なるため、吐水形態毎に、流路内の弁装置８６にかかる水圧が異なる。例えば、大流量の集中吐水口から吐水時にはシャワーヘッド８２内の水圧は低く、小流量時のシャワー散水時には高くなる。一方、従来の吐水切換構造８０では、各弁口８４を閉止するのに弁装置８６を共用しているため、異なる吐水形態に対応する複数の弁口８４に対しても同一のスプリング９４を用いて、弁体９８が複数の弁口８４に同じ荷重で付勢される。よって、ある吐水形態から別の吐水形態に切り換える際の操作部Ａ，Ｂ，Ｃの操作感の重さが、吐水形態の種類によって異なってしまい、操作部Ａ，Ｂ，Ｃの操作感を同様にすることが困難となっていた。また、上記した従来の吐水切換構造８０では、同時に２つの弁体９８を移動させなければならないものであるため、操作感が重くなり操作性が悪化していた。特に、シール部を確保するために弁体９８として金属製のボール弁を用いているので、この弁体９８を移動させて行うことになる吐水形態の切換操作が一層重くなっていた。
【０００８】
本発明は上記した従来のシャワーヘッドの吐水切換構造の問題点を解消するものであり、操作部の操作性を軽くするとともに、切換操作において吐水形態によって操作部の操作感が異ならないようにして、操作部の操作性を向上させることを目的とする。また特に請求項２の吐水切換構造では、弁体の材質を樹脂製とすることにより操作感をより軽くすることも目的とする。
【課題を解決するための手段】
【０００９】
以上の課題を解決するために、本発明の採った手段を以下に説明する。本発明のシャワーヘッドの吐水切換構造は「操作部の操作により２以上の吐水形態による吐水が可能なシャワーヘッドの吐水形態切換構造であって、前記吐水形態の数に応じた数の、弁体及び弁口が備えられ、前記弁体は、前記弁口に圧着されて前記弁口を閉止する傾斜外周部と、該傾斜外周部に連設されるとともにシャワーヘッド本体側に保持される被保持部とを備え、前記傾斜外周部が前記弁口に対してほぼ垂直方向に往復移動されて前記弁口を開閉するように設けられたことを特徴とするシャワーヘッドの吐水切換構造。」（請求項１）である。
【００１０】
本発明においては、上記のように、弁体及び弁口は吐水形態の数だけ設けられている。
よって、各弁口毎に配設された弁体により弁口を開閉すれば良く、複数の弁口を同一の弁体で開閉するように設ける必要はない。したがって、各吐水形態の選択時の操作においては一つの弁体を作動させるだけでよいので操作部の操作感を軽くすることができる。また、各吐水形態毎にそれぞれの吐水形態に対応する弁体を移動して弁口を開放すれば良いので、各吐水形態毎にシャワーヘッド内の水圧が異なるような場合であっても、異なる水圧に応じて異なる弾発力のスプリングを用いるなど、それぞれの弁体に異なる荷重を設定してスプリングなどによって付勢すれば、吐水形態の切換操作時の操作感の軽重を同様にすることもできる。
【００１１】
また、弁体が弁口間を移動する必要がないため、球状の弁体を用いる必要はない。そこで、本発明では、弁口に圧着される「傾斜外周部」と、シャワーヘッド本体側に保持される「被保持部」とを備えた弁体を用いることとし、「傾斜外周部」により弁口を確実に閉止するように設けてシール部としてはこの「傾斜外周部」のみを用い、一方、「被保持部」の部位において、スプリングを装着して弁体を付勢したり弁体を支持するなどの構成として、弁体にシール部としては利用しない「被保持部」を設けた。また、この「傾斜外周部」が弁口の開口部に対してほぼ垂直方向に往復移動されて弁口を開閉するように構成した。このように構成することにより、「傾斜外周部」にのみシール性が確保されるように成形や研磨等の加工を施せば良く、「被保持部」においてはシール性を確保する必要はなく、このような切換構造に用いる弁体のシール性の確保を容易とすることができる。また、全外周面に渡ってシール部を確保する必要がないので、押出成形等による樹脂製等の弁体とすることも容易であり、弁体自体の重さを軽くして操作部の操作感を軽くすることもできる。なお、「傾斜外周部」は、弁口の中心に向かって傾斜する傾斜面を円周状に設けられた部位や、やや円弧状に緩やかに湾曲しながら傾斜する部位などを例示できる。また、「被保持部」はシャワーヘッド本体側に支持される部位を全て含み、例えば、上記の「傾斜外周部」に連設された円筒状部や、円柱状部、角柱状部、あるいは板状部など種々の形状を含むものである。
【００１２】
また、前記の吐水切換構造において、前記弁体の前記傾斜外周部が球面状部であり、前記被保持部が円筒状部であるものとすることもできる（請求項２）。
【００１３】
このような円筒状の被保持部をシャワーヘッド本体側に設けた円筒状の保持部等に収容保持させるとともに、その先端側の球面状部により弁口を閉止させることができ、簡易な形状の略砲弾形状の弁体により、弁体の移動を安定的かつ容易に行うこともできる。
【００１４】
また、前記のいずれかの吐水切換構造において、前記弁体を樹脂製とすることもできる（請求項３）。
【００１５】
上記したように、弁体の一部にのみシール部を設ければよいので、押出成形等による樹脂製の弁体としても、シール部の確保は容易に行える。そして、弁体を樹脂製とすることによりこれを移動させる操作部の操作感を金属製等の弁体の場合よりも軽くすることができる。樹脂は、ＰＯＭやＡＢＳ等の合成樹脂や天然樹脂などの種々の樹脂を含む。
【発明の効果】
【００１６】
本発明は上記のように構成されているので、操作部の操作性を軽くするとともに、切換操作において吐水形態によって操作部の操作感が異ならないようにして、操作部の操作性を向上させることができる。
【発明を実施するための最良の形態】
【００１７】
次に、本発明のシャワーヘッドの吐水切換構造の実施の形態を図を参考にして詳細に説明する。図１に示すように、本発明のシャワーヘッドの吐水切換構造１２は、図示しないホースから湯・水が流入されるシャワーヘッド１のヘッド部３内に設けられ、ヘッド部３下面に取り付けられた散水板５の各散水部７，９，１１からの吐水を切り換えるものである。散水板５中央には第１散水部７が、その外側に第２散水部９が、さらにその外側に第３散水部１１が設けられており、第１散水部７からは大粒の水滴を吐出するマッサージシャワーが、第２散水部９からはやや大粒のハードシャワーが、第３散水部１１からは細かい水滴のソフトシャワーが吐出される。本シャワーヘッド１では、ハンドル５７を散水板５周りに揺動操作を行い、その中央の部位ではハードシャワーを、シャワーヘッド１先端方向から見て平面視左側に揺動操作した場合にはソフトシャワーを、そしてシャワーヘッド１先端方向から見て平面視右側に揺動操作した場合にはマッサージシャワーを吐出するように設けられている。図１は第１散水部７からマッサージシャワーを吐出させている状態を示す。
【００１８】
図２及び図３に示すように、把持部４内からはヘッド部３内に接続部１３が突出されており、この接続部１３から湯・水が流入される。この接続部１３は、ヘッド部３内の本体１５に形成された接続口１６内に挿通されている。本体１５は、ヘッド部３の上方側に底部１７を有する有底円筒形状に形成されており、その底部１７には、後述する切換プレート５１上の各弁口５３ａ，５３ｂ，５３ｃの上方に位置する部位のそれぞれに、３つの有底円筒状の弁体収容部１９ａ，１９ｂ，１９ｃが形成されている。この弁体収容部１９には、後述する弁体２７ａ，２７ｂ，２７ｃの腕部３３が挿通可能な切り欠き２１がその軸心を挟んだ対向する位置に形成されており、各弁体２７はその腕部３３がこの切り欠き２１内に挿通され上下に往復移動可能な状態で各弁体収容部１９に収容保持されている。また、弁体収容部１９の底部には環状周溝２３が凹設され、この環状周溝２３に保持されたスプリング２５ａ，２５ｂ，２５ｃが、弁体２７を弁口５３方向に付勢している。
【００１９】
これらのスプリング２５は、３種のそれぞれの吐水形態における本体１５内の水圧に応じてその荷重が設定されたものがそれぞれ用いられている。例えば、水栓本体の操作ハンドルの操作により水栓本体の弁口を所定量開放してシャワーヘッド１側に湯・水を供給する状態において、ソフトシャワーを吐出させる場合には、第３散水部１１に開口された散水孔の総面積は比較的大きく吐水量が多くなるため、本体１５内の水圧が低めになる。一方、ハードシャワーを吐出させる場合には、第２散水部９の散水孔の総面積は第３散水部１１の散水孔の総面積よりも小さく吐水量が少なくなるため、本体１５内の水圧は高めになる。よって、ソフトシャワーからハードシャワーへの切換時には弁体２７ｂにかかる水圧が高くなり、弁口５３ｂから弁体２７ｂを離隔するためにより強い力を必要とする。このため、ハードシャワーへの切換時に、ハンドル５７の操作感が重くならないようにするために、弁体２７ｂに取り付けられるスプリング２５ｂの、弁体２７ｂに加えられる荷重を、スプリング２５ａの弁体２７ａに加えられる荷重よりも弱くして、それぞれの吐水形態切換時のハンドル５７の操作感の軽重を同様とすることとしている。また、同様に、マッサージシャワー時に移動される弁体２７ｃに取り付けられるスプリング２５ｃについても荷重を異ならせている。なお、本例では、荷重を異ならせるために異なる弾発力のスプリング２５ａ，２５ｂ，２５ｃをそれぞれの弁体２７について用いているが、スプリング２５ａ，２５ｂ，２５ｃがそれぞれ収容される弁体収容部１９のストロークを異ならせる等としても良い。
【００２０】
次いで、ＰＯＭ製の弁体２７について説明する。弁体２７は、図５に示すように、下部に球面状部２９を備え球面状部２９の上方に円筒状部３１が連設されて全体がほぼ砲弾状の形状に形成されており、さらに、円筒状部３１の軸心を挟んだ対向する位置には、径方向に突設された円筒状の腕部３３が設けられている。円筒状部３１は、その外径が弁体収容部１９の内径よりも僅かに小さく設けられ、この円筒状部３１が弁体収容部１９内をその軸方向に沿って上下移動する。また、腕部３３は、上記したように、弁体収容部１９の切り欠き２１内において上下に往復移動可能に挿通され、弁体２７が円筒状部３１軸周りの所定の向きに保持されるように構成されている。また、腕部３３は切り欠き２１の幅よりも僅かに小径に形成されており、弁体２７が円滑かつ安定的に切り欠き２１内を往復移動できるように構成されている。また、円筒状部３１の上面から下方に向けて、スプリング２５が収容保持される環状収容溝３５が周設されている。なお、この球面状部２９が、弁口に圧着されてシール部として用いられる。また、円筒状部３１が本発明に言う「被保持部」に相当する。このように、弁体２７は弁口５３に対して、常に同一部位の球面状部２９がシール部として圧着されることになるので、球面状部２９のみをシール部として適切に加工されていれば被保持部である円筒状部３１については多少のバリ等が生じていても弁口５３の確実な閉止には問題は生じない。また、弁体２７が樹脂製とされており、さらに吐水形態切換の際には１つの弁体２７を弁口５３から離隔すればよいので、その操作感を軽くすることができる。なお、弁体２７はＡＢＳなど他の樹脂製とすることもできる。また、樹脂製とすることにより弁体２７の製造コストも低減することができる。
【００２１】
次いで、弁体２７を弁口５３に対してほぼ垂直方向に往復移動させて弁口５３を開閉する振り子部材３７について説明する。図４及び図６に示すように、振り子部材３７は、後述するハンドル５７に取り付けられて、３つの弁口５３の配設部位に沿って揺動可能に設けられている。振り子部材３７の一端側には、ハンドル５７側の嵌合凹部６５に嵌合される平行面が形成された嵌合凸部３９が上方に向けて突設されている。また、嵌合凸部３９と反対側には、切換プレート５１の円筒状の収容凹部５２に揺動自在に収容保持される円筒部４０が突設されている。また、他端側には、弁体２７を支持する支持部４１が設けられている。支持部４１には、弁体２７の円筒状部３１外径よりもやや大きな間隔で隔てられて立設された２つの支持片４３が設けられている。支持片４３は、振り子部材３７の長手方向に直交する方向にほぼ沿って立設され、嵌合凸部３９側を揺動軸とする円弧状に立設されている。それぞれの支持片４３の上端部中央付近には、支持片４３上端部に乗り上げる弁体２７の腕部３３が係止される係止凹部４５が設けられており、支持片４３によって支持される弁体２７を安定的に支持できるように構成されている。また、支持片４３は、その両端がやや下がりこう配に形成されており、揺動される振り子部材３７により弁体２７の腕部３３を支持部３３上に円滑にすくい上げるように構成されている。また、支持部４１の主体部４７には、各弁口５３上に主体部４７が位置した際に弁口５３と連通する開口４９が穿設されている。
【００２２】
次いで、切換プレート５１について説明する。図２及び図３に示すように、切換プレート５１は、本体１５及び振り子部材３７の下部に配設されて本体１５内の内周面に沿って取り付けられ、ほぼ円筒状に形成されている。上記したように、切換プレート５１の上面には、振り子部材３７の円筒部４０が揺動自在に収容保持されて、振り子部材３７の揺動軸となる収容凹部５２が凹設されている。また、切換プレート５１上面の、収容凹部５２を軸心とする円弧上に、３つの弁口５３が開口されている。また、これらの各弁口５３は各弁体２７の直下に位置する部位に設けられている。また、これらの各弁口５３ａ，ｂ，ｃは、各々、切換プレート５１内に隔離形成された流路５５ａ，ｂ，ｃに連通されている。
【００２３】
次いで、本発明に言う「操作部」の一例であるハンドル５７について説明する。ハンドル５７は、図４及び図６に示すように、ヘッド部３の散水板５及び本体１５の外周周りと、ヘッド部３のヘッドカバー４との間に揺動自在に取り付けられており、上記した振り子部材３７を３つの弁口５３に沿って揺動させて、３つの吐水形態を切り換えるための部材である。ハンドル５７には、散水板５周りに装着されて散水板５周りに所定範囲内で摺動自在に設けられた円筒部５９と、使用者がハンドル５７を揺動操作するために円筒部５９外周面から突設された操作突片６１と、円筒部５９の一部から、円筒部５９の軸心斜め上方に向けて突設された揺動突片６３とが備えられている。
【００２４】
操作突片６１は、ヘッド部３に揺動自在に取り付けられた状態で、その先端部が振り子部材３７の嵌合凸部３９上に位置し、操作突片６１先端下面には、嵌合凸部３９が嵌合される嵌合凹部６５が凹設されている。そして、図４及び図６に示すように、操作突片６１を揺動操作することにより円筒部５９が散水板５周りに回動され、これに従って揺動突片６３が揺動されて、その嵌合凹部６５に嵌合された振り子部材３７が切換プレート５１上の３つの弁口５３に沿って揺動され、いずれかの弁体２７が振り子部材３７の支持片４３により弁口５３が開放されて各吐水形態が選択されるように構成されている。このようにハンドル５７は、ヘッドカバー４及び散水板５と併せてヘッド部３の外観を一体的に構成するとともに、１つの操作突片６１だけがヘッド部３から突設されているだけなので、吐水形態の数と同じだけ操作ボタンが設けられたシャワーヘッド等と比べると、すっきりまとまり美観の良いシャワーヘッド１とすることができる。また、１つの操作突片６１を操作するだけで吐水形態を切り換えることができるので操作性も良好であり、特に、吐水形態が３つ以上であり吐水形態の選択煩雑になりやすいシャワーヘッドには好適である。
【００２５】
また、図２及び図３に示すように、切換プレート５１の下方には、分流板６６が取り付けられ、さらに散水板５が取り付けられている。切換プレート５１内には、上記したように、流路５５ａ，ｂ，ｃがそれぞれ設けられているが、これらの各流路５５は、散水板５を構成して３つの吐水形態をそれぞれ行う、第１散水部７、第２散水部９、第３散水部１１に各々連通されている。散水板５は、その中央に円筒状の第１散水部７が設けられこの第１散水部７の周りに第２散水部９が設けられた有底円筒形状の第１シャワーフェイス６７と、内側開口内にこのシャワーフェイス６７が取り付けられるとともにハンドル５７の内側に組み付けられ、第３散水部１１が設けられた第２シャワーフェイス６９とから構成されている。
【００２６】
このように構成されたシャワーヘッド１では、上記したようにハンドル５７を揺動操作することにより、３つの吐水形態を行うことができる。図２は、第２散水部９からのハードシャワーを選択した状態であり、振り子部材３７が中央の弁体２７ｂの下方に揺動されて、スプリング２５ｂの付勢力に抗してその支持片４３が弁体２７ｂの腕部３３を弁体収容部１９奥側に持ち上げて、球面状部２９を弁口５３ｂから離隔している。この状態では、本体１５内の流路と弁口５３ｂが連通され、切換プレート５１内の流路５５ｂを経て第２散水部９からの吐水が行われる。また、図３は、第１散水部７からのソフトシャワーを選択した状態であり、振り子部材３７が弁体２７ａの下方に揺動されて、上記と同様に弁体２７ａを持ち上げてその球面状部２９を弁口５３ａから離隔して、第１散水部７からの吐水が行われる。なお、図示は省略するが、マッサージシャワーを行う場合も、同様に弁体２７ｃが振り子部材３７により持ち上げられて第３散水部１１からの吐水が行われる。
【００２７】
なお、本発明は上記した実施の形態に限られるものではなく、本発明の趣旨の範囲内で種々の変更が可能である。例えば、本実施の形態では弁体２７の「被保持部」は円筒状に形成されているが、これに限られず、例えば角柱状や板状に形成したり、あるいは本実施の形態の腕部３３のようにシャワーヘッド１の本体１５側に保持される部材を突設したりするなど、本体１５側に保持されるようにした種々の形状とすることができる。また、本発明に言う「傾斜外周部」は、上記した実施の形態ではほぼ半球状の球面状部２９とされているが、これに限られず、例えば図７に示すように、円錐の先端を切除した傾斜面７０としてもよく、また図８に示すように、半楕円体の傾斜面７２としてもよい。さらにまた、傾斜外周部を円錐体そのものにより構成してもよく、また、楕円体の半分のみならず楕円体の一部のみを備えた形状としても良い。このように、弁口５３に圧着される「傾斜外周部」は種々の形状とすることができる。また、上記のシャワーヘッド１では３つの吐水形態を切り換えるものであるが、他の数の吐水形態を切り換えるものでも良い。また、振り子部材３７に限られず、他の手段によりそれぞれの弁体２７を弁口５３に対して離隔・近接させても良く、例えば、ソレノイドを用いて弁体２７を電気的に駆動することもできる。また、スプリング２５とは逆に弁体２７を弁口５３から離隔する方向に付勢するように取り付けるとともにスプリングの付勢力に抗して弁体２７を弁口５３に圧着させ、吐水選択時にのみ圧着状態を解除して、スプリングにより弁体２７を弁口から離隔するような構成としても良い。
【図面の簡単な説明】
【００２８】
【図１】本発明のシャワーヘッドの吐水切換構造を用いたシャワーヘッドの斜視図である。
【図２】図１のシャワーヘッドの側面視縦断面図である。
【図３】図１のシャワーヘッドの正面視縦断面図である。
【図４】吐水切換構造のハンドル及び振り子部材の平面図である。
【図５】弁体の斜視図である。
【図６】ハンドル、振り子部材及び弁体の分解斜視図である。
【図７】別の弁体の斜視図である。
【図８】さらに別の弁体の斜視図である。
【図９】従来のシャワーヘッドの吐水切換構造を用いたシャワーヘッドの斜視図である。
【図１０】従来の吐水切換構造の縦断面図である。
【図１１】従来の吐水切換構造の横断面図である。
【符号の説明】
【００２９】
１；シャワーヘッド、３；ヘッド部、４；ヘッドカバー、５；散水板、７；第１散水部、９；第２散水部、１１；第３散水部、１２；シャワーヘッドの吐水切換構造、１３；接続部、１５；本体、１６；接続口、１７；底部、１９；弁体収容部、２１；切り欠き、２３；環状周溝、２５；スプリング、２７；弁体、２９；球面状部、３１；円筒状部、３３；腕部、３５；環状収容溝、３７；振り子部材、３９；嵌合凸部、４０；円筒部、４１；支持部、４３；支持片、４５；係止凹部、４７；主体部、４９；開口、５１；切換プレート、５２；収容凹部、５３（ａ，ｂ，ｃ）；弁口、５５ａ，ｂ，ｃ；流路、５７；ハンドル、５９；円筒部、６１；操作突片、６３；揺動突片、６５；嵌合凹部、６６；分流板、６７；第１シャワーフェイス、６９；第２シャワーフェイス、７０，７２；傾斜面、８０；吐水切換構造、８２；シャワーヘッド、８４；弁口、８６；弁装置、８８；流入路、９０；ピン、９２；アーム、９４；スプリング、９６；弁座、９８；弁体、１００；弁ケース、１０２；支持アーム、１０４；係合アーム、１０６，１０８；突起、１１０；長孔、１１２；突出部、１１４；ピン、１１６；挿通部、Ａ，Ｂ，Ｃ；操作部。
【図１】
2005131143.tif 000003
【図２】
2005131143.tif 000004
【図３】
2005131143.tif 000005
【図４】
2005131143.tif 000006
【図５】
2005131143.tif 000007
【図６】
2005131143.tif 000008
【図７】
2005131143.tif 000009
【図８】
2005131143.tif 000010
【図９】
2005131143.tif 000011
【図１０】
2005131143.tif 000012
【図１１】
2005131143.tif 000013